(57)【要約】      （修正有）【課題】接点の腐食老化が発生しにくく、接点不良を起こすことのない品質信頼性の高い警報装置を提供する。【解決手段】中空の容器３に設けられた受圧室３１と、該受圧室の一端に設けられた流体の通気口ｈと、該受圧室の他端に設けられた気密性を有する可動部４とを備え、前記可動部の片面にスプリング６の一端が固着され、該スプリングの他端が固定板７で保持され、前記可動部が受圧室内の背圧の増減変化で異常を検知する検知手段２において、前記スプリングを挿通する支柱８が前記可動部に設けられ、当該支柱の自由端に永久磁石９が装着され、当該永久磁石から離間して設けられた磁気開閉器１０からなる検出手段と、該検出手段を格納する上部ケース１１と、前記検出手段の信号で作動する警報手段１３とを備えている。【選択図】図１
0003137999.tif 000002
【実用新案登録請求の範囲】
【請求項１】
中空の容器に設けられた受圧室と、該受圧室の一端に設けられた流体の通気口と、該受圧室の他端に設けられた気密性を有する可動部とを備え、前記可動部の片面にスプリングの一端が固着され、該スプリングの他端が前記固定板で保持され、前記可動部が受圧室内の背圧の増減変化で異常を検知する検知手段において、
前記スプリングを挿通する支柱が前記可動部に設けられ、
当該支柱の自由端に永久磁石が装着され、当該永久磁石から離間して設けられた磁気開閉器からなる検出手段と、該検出手段を格納する上部ケースと、前記検出手段の信号で作動する警報手段とを備えてなる
ことを特徴とするエアポンプの異常警報装置。
【請求項２】
前記スプリングの一端がスプリング受け板を介して前記可動部に固着され、当該スプリング受け板と前記固定板にそれぞれにスプリングガイドが設けられ、当該スプリングガイドの各端面が正常背圧時に当接することを特徴とする請求項１記載のエアポンプの異常警報装置。
【請求項３】
前記可動部が弾性体の隔膜からなることを特徴とする請求項１または２記載のエアポンプの異常警報装置。
【請求項４】
前記気密性を有する可動部が有底フロートとシール材からなることを特徴とする請求項１または２記載のエアポンプの異常警報装置。
【請求項５】
前記警報手段が前記検出手段から分離され、ユニットケースに収納され、かつ、前記警報手段と前記検出手段との間の接続手段が有線であることを特徴とする請求項３または４記載のエアポンプの異常警報装置。
【請求項６】
前記警報手段が前記検出手段から分離され、ユニットケースに収納され、かつ、前記警報手段と前記検出手段間の接続手段が無線であること
を特徴とする請求項３または４記載のエアポンプの異常警報装置。
【請求項７】
前記警報手段が電子タイマーを有し、警報を発する時間の設定が可能であることを特徴とする請求項５または６記載のエアポンプの異常警報装置。
【請求項８】
前記警報手段への給電が２電源方式でなされ、切替えスイッチを設けた特徴の請求項７記載のエアポンプの異常警報装置。
【考案の詳細な説明】
【技術分野】
【０００１】
本考案は電磁振動型エアポンプの異常発生を使用者や維持管理者などへ知らせるための異常警報装置に関する。さらに詳しくは、主として家庭用浄化槽や養魚用水槽などに酸素補給に利用されるエアポンプの異常警報装置に関する。
【背景技術】
【０００２】
従来技術にかかわるエアポンプの異常検出装置としては、特許文献１に開示されたものがあり（図８参照）、ダイヤフラム式ポンプ１０１から浄化槽にエアーを供給する散気管１０３の途中に、これと分岐して上下方向に筒体１１３を取付け、この上部にエア排気孔１１６を開孔する。筒体の中間に貫通孔１１７を開孔したリング状の支持板１１８を設け、この上面に固定側電極１１９を設けると共に、貫通孔を上下動自在に貫通するロッド１２１を取付け、このロッドの下部側に風圧を受けてロッドを上方に押し上げる押上板１２３を取付けると共に、前記貫通孔を貫通したロッドの上部側に前記固定側電極と対向して可動側電極１２４を取付け、これら電極を警報装置１２６に接続した構造を特徴としている。
【０００３】
【特許文献１】実用新案登録第３１３２７８８号明細書
【考案の開示】
【考案が解決しようとする課題】
【０００４】
しかしながら、前記特許文献１に記載された異常警報装置の場合、筒体内の押上板との隙間から空気が漏れ、筒体の上部に設けられたエア排気孔から流出しやすい構造であり、また、固定側電極および可動側電極の接点が暴露しているため、接点の腐食老化が発生しやすく接点不良の品質信頼性に欠ける問題を有している。これらの問題点を改善した装置を提供することを目的とするものである。
【課題を解決するための手段】
【０００５】
本考案の第１の形態にかかわる流体ポンプの異常警報装置は、中空の容器に設けられた受圧室と、該受圧室の一端に設けられた流体の通気口と、該受圧室の他端に設けられた気密性を有する可動部とを備え、前記可動部の片面にスプリングの一端が固着され、該スプリングの他端が前記固定板で保持され、前記可動部が受圧室内の背圧の増減変化で異常を検知する検知手段において、
前記スプリングを挿通する支柱が前記可動部に設けられ、
当該支柱の自由端に永久磁石が装着され、当該永久磁石から離間して設けられた磁気開閉器からなる検出手段と、該検出手段を格納する上部ケースと、前記検出手段の信号で作動する警報手段とを備えてなることを特徴としている。
【０００６】
本考案の第２の形態にかかわる流体ポンプの異常警報装置は、前記スプリングの一端がスプリング受け板を介して前記可動部に固着され、当該スプリング受け板と前記固定板にそれぞれにスプリングガイドが設けられ、当該スプリングガイドの各端面が正常背圧時に当接することを特徴としている。
【０００７】
また、本考案の第３、４の形態にかかわる流体ポンプの異常警報装置は、気密性を有する可動部が弾性体の隔膜からなること、あるいは、気密性を有する可動部が有底フロートとシール材からなることを特徴としている。
【０００８】
本考案の第５の形態にかかわる流体ポンプの異常警報装置は、警報手段が前記検出手段から分離され、該前記警報手段がユニットケースに収納され、かつ、前記警報手段と前記検出手段との間の接続が有線手段であることを特徴としている。
【０００９】
本考案の第６の形態にかかわる流体ポンプの異常警報は、警報手段が前記検出手段から分離され、該前記警報手段がユニットケースに収納され、かつ、前記警報手段と前記検出手段との間の接続が赤外線を含む無線手段であることを特徴としている。
【００１０】
なお、本考案において、磁気開閉器とは、リードスイッチ、リードリレー、ホール素子等をいう。また、警報手段とはブザー、アラーム、ランプ等をいう。
【考案の効果】
【００１１】
本考案の異常警報装置は流体（空気）の圧力（加圧または吸引圧）で受圧板の可動を利用し、蜜閉された受圧室と可動部の構成で空気漏れはなく、かつ、検出手段の接点部が塵埃雨滴の浸入保護の密封した構造により品質信頼性と遠隔操作性に優れたものである。
【考案を実施するための最良の形態】
【００１２】
本考案のエアポンプの異常警報装置１（図１〜図２参照）は、中空の容器３に画定された受圧室３１と、該受圧室３１の一端に画定された流体の通気口ｈと、該受圧室３１の他端に移動可能に設けられた気密性を有する可動部４と、該可動部４と対向するように前記容器３内に移動不能に設けられた固定板７とを備えている。そして、該可動部４の片面の中央部に設けられたスプリング受け板５にスプリング６の一端が嵌め込まれ、前記スプリング６の他端（上部）は前記固定板７によって保持されている。かかる構成により、本考案の異常警報装置１の検知手段は、前記可動部４が受圧室３１内の背圧の増減変化で異常を検知するのである。
【００１３】
本実施の形態においては、前記可動部４のスプリング受け板５の中央部に支柱８が設けられており、該支柱８の自由端（頭部）には永久磁石９を装着されている。さらに、前記永久磁石９から空隙ｇを介して配置された磁気開閉器１０からなる検出手段２と、該検出手段２を格納する上部ケース１１とから構成され、前記検出手段２の信号で作動する警報手段１３を備えている。磁気開閉器１０は、リードスイッチ、リードリレー、ホール素子等から構成される。また、警報手段１３として、ブザー、アラーム、ランプ等を採用することができる。
【００１４】
気密性を有する可動部４はゴム製または金属製の伸長する隔膜（ダイヤフラム）でよい。
【００１５】
可動部４の動きを円滑にするために、上部ケース１１または固定板の一部にエア排出孔１２（たとえば、通気性のよいゴアテックでもよい）を設けることが好ましい。
【００１６】
図１では、エアポンプからの送気圧が正常な場合、可動部４の隔膜（ダイヤフラム）が受ける。全圧力Ｐは可動部４の有効受圧面積Ｓと図６に示すａ点の圧力Ｐａとの積である。スプリング６の抗力Ｆはばね定数Ｋとスプリング６のたわみＸとの積である。
（Ｐ＝Ｓ*Ｐａ、Ｆ＝Ｋ*Ｘ）・・・式（１）
【００１７】
すなわち、式（１）において、全圧Ｐ＞抗力Ｆの条件になったとき、隔膜が可動部４を押し上げ、スプリング受け板５の中央部に配設された支柱８の頭部の永久磁石９がそれにつれ上昇する。
【００１８】
一方、図２では、エアポンプに異常が生じた場合、エアポンプからの送気圧は低下して図６のａ点の圧力Ｐａ以下となり、全圧Ｐ＜抗力Ｆの条件でスプリング６の抗力よって可動部４が押し下げられ永久磁石９と磁気開閉器１０との空隙ｇ（図４参照）が大となり、警報手段１３のユニットケースの異常の警報（アラーム）のブザー１５とランプ１４を発する機構である。ブザーの発する時間は内蔵された電子タイマー（図示せず）を適宜に使用者が使用環境に応じて設定可能である（警報ブザー音の時間が長くなると近所へ迷惑の恐れあり）および、音量の調整機能も有している。
【００１９】
また、浄化槽等の設置される環境に応じて電池と商用電源の２給電方式で、その切替えを切替えスイッチ１６で行う機構である。
【００２０】
本考案の形態の異常警報装置１（図３参照）異常警報装置は可動部４が有底のフロート４のもので気密性を確保するため外周の一部にシール材Ｓが設けてなる構造である。シール材Ｓは弾性を有するＯリングやＹリングでもよい。前記フロート４の中央部にスプリング受け板とスプリングガイドが一体成形された構造である。
【００２１】
また、本考案の他の実施の形態の異常警報装置１（図４参照）では、固定板７の中央部に開口Ｗを設け、支柱８を貫通し支柱の頭部に永久磁石を装着した構造である。可動部４は隔膜および有底フロートでもよい。
【００２２】
本考案のさらに他の実施の形態の異常警報装置１は、図７に示すエアポンプ１９の吐出口と浄化槽２１の中間に配管２０により簡単な接続固定を可能にした構造である。
【図面の簡単な説明】
【００２３】
【図１】本考案の警報装置の正常状態の一例を示す断面説明図である。
【図２】本考案の警報装置の異常状態の一例を示す断面説明図である。
【図３】本考案の警報装置の正常状態の一例を示す断面説明図である。
【図４】本考案の警報装置の正常状態の一例を示す断面説明図である。
【図５】本考案のユニットケースの一例を示す断面説明図である。
【図６】風量Ｑと背圧（負荷）Ｈの関係における作動圧の領域を示すグラフである。
【図７】本考案の実施一例を示す装着説明図である。
【図８】従来の異常検出装置を示す断面説明図である。
【符号の説明】
【００２４】
１  警報装置
２  検出手段
３  中空の容器
４  可動部（隔膜またはフロート）
５  スプリング受け板
６  スプリング
７  固定板
８  支柱
９  永久磁石
１０  磁気開閉器
１１  上部ケース
１２  エア排出孔
１３  警報手段
１４  ランプ
１５  ブザー
１６  切替えスイッチ
１９  エアポンプ
２０  配管
２１  浄化槽
３１  受圧室
５１、７１  スプリングガイド
ｇ  空隙
ｈ  通気口
Ｗ  開口
【図１】
0003137999.tif 000003
【図２】
0003137999.tif 000004
【図３】
0003137999.tif 000005
【図４】
0003137999.tif 000006
【図５】
0003137999.tif 000007
【図６】
0003137999.tif 000008
【図７】
0003137999.tif 000009
【図８】
0003137999.tif 000010